【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
近接照射治療装置において：
組織を通って管に導入するように構成された近位端と遠位端を具え、当該近位端及び遠位端が縦軸を規定している細長コア部材と；
前記コア部材の遠位端に連結した遠位ハブと；
前記コア部材の近位端上にあり、前記遠位ハブに対して軸上を移動可能な近位ハブと；
前記近位及び遠位ハブに連結され、前記コア部材の近位及び遠位端の間に延在する複数の細長部材であって、組織の管を通ってターゲット位置に導入するために前記縦軸にほぼ並行に延在する折りたたんだ構造、及び前記近位ハブが前記遠位ハブに対して遠位側に向けられたときの拡開した構造から移動可能であり、これに沿って放射線源を受ける経路を具える、細長部材と；を具え、
前記コア部材が、第１及び第２の入れ子式チューブを具え、前記第１のチューブが前記近位ハブに連結され、前記第２のチューブが前記遠位ハブに連結されて、前記第２のチューブに対する前記第１のチューブの回転によって前記近位ハブを遠位側に移動させて、前記細長部材を拡開構造にし、
前記第１及び第２のチューブが、螺合ネジによって入れ子式に連結されており、当該ネジが、前記第１のチューブが十分に回転して前記細長部材を拡開構造にしたときに螺合が解除され、これによって前記近位ハブの遠位側への更なる移動を制限する、
ことを特徴とする近接照射治療装置。
【請求項２】
近接照射治療装置において：
組織を介して管へ導入するように構成された近位端と遠位端を具える細長コア部材であって、前記近位端と遠位端が縦軸を規定しており、前記コア部材が、螺合ネジによって入れ子式に連結された第１及び第２のチューブを具え；
前記第２のチューブに連結した遠位ハブと；
前記第１のチューブに連結された近位ハブであって、前記第２のチューブに対する前記第１のチューブの回転によって前記近位ハブを、前記遠位ハブに対して軸方向に移動させる近位ハブと；
前記近位ハブ及び遠位ハブに連結され、前記コア部材の近位端及び遠位端の間に延在する複数の細長部材であって、組織の管を通ってターゲット位置へ導入するために前記縦軸にほぼ並行に延在する折りたたんだ構造、及び前記近位ハブが前記遠位ハブに対して遠位側に向けられたときの拡開した構造から移動可能であり、それに沿って放射線源を受ける経路を具える複数の細長部材と；を具え、
前記コア部材が、前記近位ハブの遠位側への移動を制限して、拡開構造にある前記細長部材の過剰拡開を防止する機構を具え、当該機構が、前記第１のチューブが前記細長部材を拡開構造とするのに十分に回転するとねじの係合がはずれるように位置した第１及び第２のチューブの一方にネジのない領域を具え、これによって前記近位ハブの遠位側への移動を更に制限することを特徴とする近接照射治療装置。
【請求項３】
請求項１又は２に記載の装置において、前記第１及び第２のチューブの少なくとも一方が、前記細長部材が拡開構造になったときの前記第１のチューブの前記第２のチューブに対する遠位側への更なる移動を防ぐストップを具え、これによって、前記細長部材の過剰拡開を防止することを特徴とする近接照射治療装置。
【請求項４】
請求項１乃至３のいずれか１項に記載の装置において、前記近位ハブと前記第１のチューブが、前記第１のチューブの回転を前記近位ハブの軸方向の動きに連結する螺合特性を具えることを特徴とする近接照射治療装置。
【請求項５】
請求項１乃至４のいずれか１項に記載の装置が更に、前記第１のチューブと前記近位ハブのうちの少なくとも一方に、前記近位ハブの前記第１のチューブからの係合を解放する解放機構を具え、前記拡開構造から前記細長部材を迅速に折りたたむことを特徴とする近接照射治療装置。
【請求項６】
請求項５に記載の装置において、前記解放機構が、前記第１のチューブの周囲に配置されて、前記近位ハブと前記第１のチューブのうちの少なくとも一方に所定の軸方向の力がかからない限り、前記第１のチューブに対する前記近位ハブの近位側への移動を防止する保持リングを具えることを特徴とする近接照射治療装置。
【請求項７】
請求項１乃至６のいずれか１項に記載の装置において、前記遠位ハブが実質的に放射線透過性であることを特徴とする近接照射治療装置。
【請求項８】
請求項１乃至７のいずれか１項に記載の装置が更に、前記ターゲット位置へ放射線を送達する前記経路に沿って導入可能な放射線源を具えることを特徴とする近接照射治療装置。
【請求項９】
請求項１乃至８のいずれか１項に記載の装置が更に、前記細長部材が前記拡開構造になるときに各細長部材を支持する複数のサポートを具えることを特徴とする近接照射治療装置。
【請求項１０】
請求項９に記載の装置において、前記サポートが前記近位ハブに固定した第１の端部と、前記細長部材の遠位端に固定した第１の端部を具えることを特徴とする近接照射治療装置。
【請求項１１】
請求項１０に記載の装置において、前記サポートの第１の端部を、前記近位ハブ内の各溝内で受けることを特徴とする近接照射治療装置。
【請求項１２】
請求項１０に記載の装置において、前記サポートの前記第１の端部が前記近位ハブに係止リングで固定されていることを特徴とする近接照射治療装置。
【請求項１３】
請求項９乃至１２のいずれか１項に記載の装置において、前記細長部材が筒状部材を具え、前記サポートが前記筒状部材の外側表面に沿って延在していることを特徴とする近接照射治療装置。
【請求項１４】
請求項１３に記載の装置において、前記サポートが収縮チューブを用いて前記外側表面に取り付けられていることを特徴とする近接照射治療装置。
【請求項１５】
請求項１乃至１４のいずれか１項に記載の装置において、前記コア部材が放射線源を受ける経路を具えることを特徴とする近接照射治療装置。
【請求項１６】
請求項１乃至１５のいずれか１項に記載の装置が更に、前記コア部材に取り外し可能に連結される、前記近位ハブを前記遠位ハブに対して軸方向に向ける拡開ツールを具えることを特徴とする近接照射治療装置。
【請求項１７】
請求項１乃至１６のいずれか１項に記載の装置において、外側のネジが、ネジのない領域に入るときに螺合ネジが可聴クリック音を出して、前記細長部材が前記拡開構造まで完全に拡開したことを確認することを特徴とする近接照射治療装置。
【請求項１８】
請求項１乃至１７のいずれか１項に記載の装置において、前記螺合ネジが、前記第１のチューブが回転して前記細長部材を折りたたんだときに前記外側のネジが内側のネジに再度螺合して前記近位ハブを近位側に向けるように構成されていることを特徴とする近接照射治療装置。
【請求項１９】
請求項１乃至１８のいずれか１項に記載の装置において、前記第１のチューブが、内側の第２のネジより外径が小さい外側の第１のネジ近傍にネジのない領域を有し、前記外側の第１のネジが前記第２のチューブのネジのない領域に入ると、前記第１のチューブのネジのない領域が前記内側の第２のネジ内に配置されることを特徴とする近接照射治療装置。
【請求項２０】
請求項１乃至１９のいずれか１項に記載の装置において、前記第１及び第２のネジの係合がはずれている時に、前記第１のチューブを更に軸方向に移動させることなく、前記第１のチューブが前記第２のチューブ内で自在に回転するように構成されており、前記細長部材が拡開構造まで完全に拡開する触知性フィードバックを提供することを特徴とする近接照射治療装置。
【請求項２１】
近接照射治療装置において：
組織を通して管に導入する近位端と遠位端を具える細長本体と；
前記遠位端上の複数の細長部材であって、これに沿って放射線源を受ける経路を具え、組織の管を通ってターゲット位置に導入するための折りたたんだ構造から、拡開した構造へ移動可能な細長部材と；
各細長部材の前記経路に沿って取り外し可能に受けることができる複数のマーカデバイスと；
を具えることを特徴とする近接照射治療装置。